(57)【要約】【課題】挿入穴の位置と角度を調整可能な回転可能な多孔式タップを提供する。【解決手段】挿入穴１１と枢着穴１２とが開設され枢着穴１２の中心に円弧形ガイド溝１２１が凹設されるケース１０と、枢着穴１２に枢着されケース１０の回転可能角度を規制するため位置決め凸部２１が摺動自在に設けられ、電源の第一電極と第二電極とにそれぞれ接続する第一挿入片２２と第二挿入片２３とを有するプラグ２０と、挿入穴１１の第一側に位置合わせるためにクリップ３１を有しリード３２を介して第一挿入片２２と接続する第一電極板３０と、挿入穴１１の第二側に位置合わせるためのクリップ４１を有する第二電極板４０と、リード５１を介して第二挿入片２３と接続する導電板５０と、導電板５０と第二電極板４０とを連接する切替スイッチ６１を有し操作により導電板５０と第二電極板４０とを閉回路にする制御器６０と、を有する。【選択図】図１
0003135556.tif 000002
【実用新案登録請求の範囲】
【請求項１】
多数の挿入穴と一つの枢着穴が開設され、前記枢着穴の中心には円弧形ガイド溝が凹設してあるケースと、
前記ケースの枢着穴に枢着され、前記ケースの回転可能角度を制限するために円弧形ガイド溝に位置決め凸部が摺動自在に設けてあり、電源の第一電極と接続するための第一挿入片と、電源の第二電極と接続するための第二挿入片とを有するプラグと、
前記ケース内に固定され、前記ケースの挿入穴の第一側に位置合わせるために多数のクリップを有し、リードを介して前記プラグの第一挿入片と接続する第一電極板と、
前記ケース内に固定され、前記ケースの挿入穴の第二側に位置合わせるために多数のクリップを有する第二電極板と、
前記ケース内に固定されリードを介して前記プラグの第二挿入片と接続する導電板と、
前記導電板と第二電極板とを連接する切替スイッチを有し、操作により前記導電板と第二電極板とを閉回路にすることが可能である制御器と、
を備えることを特徴とする回転可能な多孔式タップ。
【請求項２】
前記ケースの互いに隣接している面には挿入穴がそれぞれ開設してあることを特徴とする請求項１に記載の回転可能な多孔式タップ。
【請求項３】
前記ケースの枢着穴は、前記プラグの凸縁付き円盤を受けるために、穴縁に凸縁部が環設してあり、前記プラグの凸縁付き円盤の外側は、前記ケースに締付けられた止め板に押付けられていることを特徴とする請求項１に記載の回転可能な多孔式タップ。
【請求項４】
前記第一電極板の多数のクリップの挿入端が異なる方向を向いていることを特徴とする請求項１に記載の回転可能な多孔式タップ。
【請求項５】
前記第二電極板の多数のクリップの挿入端が異なる方向を向いていることを特徴とする請求項１に記載の回転可能な多孔式タップ。
【請求項６】
前記制御器は、前記導電板と第二電極板とに直列接続しているヒューズを有することを特徴とする請求項１に記載の回転可能な多孔式タップ。
【請求項７】
前記制御器は、前記第一電極板と第二電極板とに並列接続している指示ランプを有することを特徴とする請求項１に記載の回転可能な多孔式タップ。
【請求項８】
多数の挿入穴と一つの枢着穴が開設してあり、前記枢着穴の中心には円弧形ガイド溝が凹設してあるケースと、
前記ケースの枢着穴に枢着され、前記ケースの回転可能角度を規制するために、円弧形ガイド溝に位置決め凸部が摺動自在に設けてあり、電源の第一電極と接続するための第一挿入片と、電源の第二電極と接続するための第二挿入片とを有するプラグと、
前記ケース内に固定され、前記ケースの挿入穴の第一側に位置合わせるために、多数のクリップを有し、リードを介して前記プラグの第一挿入片と接続する第一電極板と、
前記ケース内に固定され、前記ケースの挿入穴の第二側に位置合わせるために、多数のクリップを有し、リードを介して前記プラグの第二挿入片と接続する第二電極板と、
を有することを特徴とする回転可能な多孔式タップ。
【考案の詳細な説明】
【技術分野】
【０００１】
本考案は、回転可能なケースにより、ケースにある挿入穴の位置と角度とが調整可能になる回転可能な多孔式タップに関するものである。
【背景技術】
【０００２】
現在、市販している多孔式タップのケースの端面には、多数の挿入穴が開設され、一つのプラグ部が設けてある。前記プラグ部を電源に接続すると、電流が各挿入穴内に取り付けられる導電片に流入し、各挿入穴内に取り付けられる導電片に電気用品を接続すると、電気用品を使用できる。
【考案の開示】
【考案が解決しようとする課題】
【０００３】
従来の多孔式タップは、タップ不足の問題を解決できるが、各挿入穴が同じ方向にむいており、多孔式タップを回転することにより各挿入穴の向いている方向を調整することができないので、ユーザは電気用品のプラグを従来の多孔式タップにある各挿入穴に楽に挿入することができない欠点があった。
【課題を解決するための手段】
【０００４】
上記欠点を解決するためになされた本考案は、多数の挿入穴が開設してあり、一つの枢着穴が開設してあり、前記枢着穴の中心には円弧形ガイド溝が凹設してあるケースと、前記ケースの枢着穴に枢着される。前記ケースの回転可能な角度を制限するために、円弧形ガイド溝に前記位置決め凸部が摺動自在に設けてあり、電源の第一電極と接続するための第一挿入片と、電源の第二電極と接続するための第二挿入片とを有するプラグと、前記ケース内に固定され、前記ケースの挿入穴の第一側に位置合わせるために、多数のクリップを有し、リードを介して前記プラグの第一挿入片と接続する第一電極板と、前記ケース内に固定され、前記ケースの挿入穴の第二側に位置合わせるために、多数のクリップを有する第二電極板と、前記ケース内に固定され、リードを介して前記プラグの第二挿入片と接続する導電板と、前記導電板と第二電極板とを連接する切替スイッチを有し、操作により前記導電板と第二電極板とを閉回路にすることが可能である制御器と、を有することを特徴とする回転可能な多孔式タップであることを要旨としている。
【０００５】
本考案では、前記ケースの互いに隣接している面には挿入穴がそれぞれ開設してあってもよい。
前記ケースの枢着穴は、前記プラグの凸縁付き円盤を受けるために、その穴縁に凸縁部が環設してあり、前記プラグの凸縁付き円盤の外側は、前記ケースに締付けられた止め板に押付けられていてもよい。
【０００６】
前記第一電極板の多数のクリップの挿入端が相違の方向に向いていてもよく、前記第二電極板の多数のクリップの挿入端が異なる方向に向いていてもよい。前記制御器は、更に、前記導電板と第二電極板とに直列接続しているヒューズを有してもよく、前記第一電極板と第二電極板とに並列接続している指示ランプを有してもよい。
【０００７】
（考案の効果）
本考案の回転可能な多孔式タップは、ケースに開設された挿入穴の位置と角度とを調整可能である効果を有する。
【考案を実施するための最良の形態】
【０００８】
以下、添付図面を参照して本考案の実施の形態を詳細に説明する。
まず、図１から図５を参照する。本考案の第１実施例による回転可能な多孔式タップは、多数の挿入穴１１が開設してあり、一つの枢着穴１２が開設してあり、前記枢着穴１２の中心には円弧形ガイド溝１２１が凹設してあるケース１０と、前記ケース１０の枢着穴１２に枢着される。前記ケース１０の回転可能角度を制限するために、円弧形ガイド溝１２１に前記位置決め凸部２１が摺動自在に設けてある。電源の第一電極と接続するための第一挿入片２２と、電源の第二電極と接続するための第二挿入片２３とを有するプラグ２０と、前記ケース１０内に固定され前記ケース１０の挿入穴１１の第一側に位置合わせるために多数のクリップ３１を有しリード３２を介して前記プラグ２０の第一挿入片２２と接続する第一電極板３０と、前記ケース１０内に固定され前記ケース１０の挿入穴１１の第二側に位置合わせるために多数のクリップ４１を有する第二電極板と、前記ケース１０内に固定されリード５１を介して前記プラグ２０の第二挿入片２３と接続する導電板５０と、前記導電板５０と第二電極板４０とを連接する切替スイッチ６１を有し操作により前記導電板５０と第二電極板４０とを閉回路にすることが可能である制御器６０と、を有す。
【０００９】
上記のような構成を有する回転可能な多孔式タップによれば、ユーザは、ケース１０を回転することにより、電気用品のプラグを多孔式タップに開設された各挿入穴１１に楽に挿入することができるようになる。
本実施例の回転可能な多孔式タップ１００は、前記ケース１０が立方形であり、前記ケース１０の互いに隣接している面には挿入穴１１がそれぞれ開設してあり、ユーザは、回転可能な多孔式タップ１００に開設された挿入穴１１に相違の方向から電器用品のプラグを挿入可能であり、使用が利便になる。
【００１０】
本実施例の回転可能な多孔式タップ１００では、前記ケース１０の枢着穴１２は、前記プラグ２０の凸縁付き円盤２４を受けるために、その穴縁に凸縁部１２２が環設してあり、前記プラグ２０の凸縁付き円盤２４の外側は、前記ケース１０に締付けられた止め板１２３に押付けられる。これにより、前記止め板１２３と、ケース１０の枢着穴１２の凸縁部１２２とは、前記プラグ２０の凸縁付き円盤２４を安定に挟むことが可能になり、壁面に設けられた市電に前記プラグ２０を接続すると、前記ケース１０は回転可能である。
【００１１】
本実施例の回転可能な多孔式タップ１００は、前記円弧形ガイド溝１２１が前記止め板の上に設けられる。前記ケース１０の円弧形ガイド溝１２１は、例えば１／４円形の円弧形溝であり、前記ケース１０は所定の角度範囲内に回転自在である。前記第一電極板３０の多数のクリップ３１の挿入端が相違の方向に向いており、且つ前記第二電極板４０の多数のクリップ４１の挿入端も異なる方向に向いている。
【００１２】
前記制御器６０は、前記導電板５０と第二電極板４０とに直列接続しているヒューズ６２を有する。且つ前記制御器６０は、前記第一電極板３０と第二電極板４０とに並列接続している指示ランプ６３を有する。これにより、前記導電板５０と第二電極板４０とを閉回路にするように前記切替スイッチ６１を切替すると、前記指示ランプ６３が点灯し、このとき、電流が流れていることをユーザに知らせる効果を有する。
また、本実施例の回転可能な多孔式タップ１００は、前記プラグ２０がケース１０内に枢着されるので、前記ケース１０は回転可能であり、これにより、挿入穴１１の向いている角度を変更でき、電気用品のプラグを多孔式タップに開設された各挿入穴１１に楽に挿入することができるようになる。
【００１３】
本考案の第２実施例による回転可能な多孔式タップ１００ｂは、図６に示すように、ケース１０ｂの互いに隣接している面にそれぞれ一つの挿入穴１１を開設してもよく、図７から図９に示す本考案の第３実施例による回転可能な多孔式タップ１００ｃのように、図２に示した導電板５０と制御器６０とを省略してもよい。また、本考案の第２実施例の導電板５０と制御器６０とを省略した第３実施例による回転可能な多孔式タップ１００ｃは、多数の挿入穴１１と一つの枢着穴１２が開設してある。前記枢着穴１２の中心には円弧形ガイド溝１２１が凹設してあるケース１０ｃと、前記ケース１０ｃの枢着穴１２に枢着され、前記ケース１０ｃの回転可能角度を規制するために、円弧形ガイド溝１２１に前記位置決め凸部２１が摺動自在に設けてある。
【００１４】
電源の第一電極と接続するための第一挿入片２２と、電源の第二電極と接続するための第二挿入片２３とを有するプラグ２０と、前記ケース１０ｃ内に固定され前記ケース１０ｃの挿入穴１１の第一側に位置を合わせるために多数のクリップ３１を有しリード３２を介して前記プラグ２０の第一挿入片２２と接続する第一電極板３０ｃと、前記ケース１０ｃ内に固定され前記ケース１０ｃの挿入穴１１の第二側に位置合わせるために多数のクリップ４１を有しリード４２を介して前記プラグ２０の第二挿入片２３と接続する第二電極板４０ｃと、を有する。これにより、ユーザは、ケース１０ｃを回転することにより、電気用品のプラグを多孔式タップに開設された各挿入穴１１に楽に挿入することができるようになる。
このように本考案が特定の実施例を参照して説明されたが、それらの例は説明のためだけのものであり本考案を限定するものではなく、この分野に通常の知識を有する者には、本考案の精神および範囲を逸脱することなく、ここで開示された実施例に変更、追加、または削除を施してもよいことがわかる。
【図面の簡単な説明】
【００１５】
【図１】本考案の第１実施例による回転可能な多孔式タップの斜視図である。
【図２】本考案の第１実施例による回転可能な多孔式タップを組に合わせた状態の斜視図である。
【図３】本考案の第１実施例による回転可能な多孔式タップの一部を剖開した斜視図である。
【図４】図２の４‐４方向に取り外した図である。
【図５】図４におけるケースを９０度に旋回した状態を示す概略図である。
【図６】本考案の第２実施例による回転可能な多孔式タップの斜視図である。
【図７】本考案の第３実施例による回転可能な多孔式タップの斜視図である。
【図８】本考案の第３実施例による回転可能な多孔式タップの組合状態の斜視図である。
【図９】図８の９‐９方向の矢視図である。
【符号の説明】
【００１６】
１０、１０ｂ、１０ｃ：ケース、１１：挿入穴、１２：枢着穴、１２１：円弧形ガイド溝、１２２：凸縁部、１２３：止め板、２０：プラグ、２１：位置決め凸部、２２：第一挿入片、２３：第二挿入片、２４：凸縁付き円盤、３０、３０ｃ：第一電極板、３１：クリップ、３２：リード、４０、４０ｃ：第二電極板、４１：クリップ、４２：リード、５０：導電板、５１：リード、６０：制御器、６１：切替スイッチ、６２：ヒューズ、６３：指示ランプ、１００、１００ｂ、１００ｃ：回転可能な多孔式タップ
【図１】
0003135556.tif 000003
【図２】
0003135556.tif 000004
【図３】
0003135556.tif 000005
【図４】
0003135556.tif 000006
【図５】
0003135556.tif 000007
【図６】
0003135556.tif 000008
【図７】
0003135556.tif 000009
【図８】
0003135556.tif 000010
【図９】
0003135556.tif 000011